(57)【要約】【課題】ドキュメントから所望内容が記載された領域を表示するまでの効率を向上させる。【解決手段】制御システムに関連する情報が記載されたドキュメント原本を領域毎にイメージデータに変換したドキュメントデータと、上記ドキュメント原本に記載された複数のキーワードとそれらが記載された領域及び座標とを対応付けるキーワード位置情報とを用いて、一覧表示された複数のキーワードから、所望のキーワードが選択された場合に、この選択されたキーワードが記載されている領域をキーワード位置情報に基づいて検索し、上記領域のドキュメントデータを用いて当該領域のイメージを表示部に表示させる。【選択図】  図１
2010286882.tif 000002
【特許請求の範囲】
【請求項１】
制御対象及びこの制御対象を制御する制御装置を有する制御システムに接続され、この制御システムの状態に関する状態情報を受け取るインタフェース部と、
上記状態情報を表示可能な表示部と、
上記制御システムに関連する情報が記載されたドキュメント原本を領域毎にイメージデータに変換したドキュメントデータ、及び、上記ドキュメント原本に記載された複数のキーワードとそれらが記載された領域及び座標とを対応付けるキーワード位置情報を記憶する記憶部と、
外部からの指示が入力される入力部と、
上記入力部から入力される外部からの指示に基づいて選択可能に、上記複数のキーワードを上記表示部に一覧表示させる制御部と、を備え、
上記制御部は、キーワードが選択された場合、この選択されたキーワードが記載されている領域を上記キーワード位置情報に基づいて検索し、上記選択されたキーワードが記載されている領域のドキュメントデータを用いて当該領域のイメージを上記表示部に表示させることを特徴とするプログラマブル表示器。
【請求項２】
制御部は、選択されたキーワードが記載された座標をキーワード位置情報に基づいて検索し、上記キーワードが記載されている領域のイメージ上において、上記座標に記載されたキーワードを表示部に強調表示させることを特徴とする請求項１に記載のプログラマブル表示器。
【請求項３】
選択されたキーワードがドキュメント原本の複数の領域に記載されている場合、制御部は、各領域のドキュメントデータを用いて当該各領域のイメージを、入力部から入力される外部からの指示に基づいて表示部に表示させることを特徴とする請求項１又は２に記載のプログラマブル表示器。
【請求項４】
制御部は、入力部から入力される外部からの指示に基づいて複数のキーワードのうち外部からの指示に合致するキーワードを抽出し、抽出されたキーワードを表示部に一覧表示させることを特徴とする請求項１乃至３のいずれか１項に記載のプログラマブル表示器。
【請求項５】
制御対象及びこの制御対象を制御する制御装置を有する制御システムに接続されたプログラマブル表示器に、上記制御システムに関連する情報が記載されたドキュメント原本を領域毎にイメージデータに変換したドキュメントデータ、及び、上記ドキュメント原本に記載された複数のキーワードとそれらが記載された領域及び座標とを対応付けるキーワード位置情報を記憶させる工程と、
上記ドキュメントデータを用いて上記ドキュメント原本のイメージを上記プログラマブル表示器に表示させる工程と、
上記複数のキーワードを上記プログラマブル表示器に一覧表示させる工程と、
外部からの指示に基づき、上記一覧表示された複数のキーワードのうちから所望のキーワードを選択する工程と、
選択されたキーワードが記載されている領域を上記キーワード位置情報に基づいて検索し、上記選択されたキーワードが記載されている領域のドキュメントデータを用いて当該領域のイメージを上記プログラマブル表示器に表示させる工程と、を含むドキュメント表示方法。
【請求項６】
請求項５に記載のドキュメント表示方法をプログラマブル表示器に実行させるプログラム。
【請求項７】
請求項５に記載のドキュメント表示方法をプログラマブル表示器に実行させるプログラムを記録した記録媒体。
【請求項８】
制御システムに関連する情報が記載されたドキュメント原本を領域毎に分割して読み出す工程と、
読み出された領域内に記載されているキーワードを抽出する工程と、
抽出された各キーワードが記載されている座標を取得する工程と、
各キーワードとそれらが記載された領域及び座標とを対応付ける工程と、
を含むキーワード位置情報作成方法。
【請求項９】
請求項８に記載のキーワード位置情報作成方法を情報処理装置に実行させるプログラム。
【請求項１０】
請求項８に記載のキーワード位置情報作成方法を情報処理装置に実行させるプログラムを記録した記録媒体。
【発明の詳細な説明】
【技術分野】
【０００１】
この発明は、ドキュメントに記載されている複数のキーワードから、使用者が所望のキーワードを選択することにより、そのキーワードの記載箇所をドキュメント内から検索し、そのキーワードの記載されているドキュメントの領域を表示するプログラマブル表示器に関するものである。
【背景技術】
【０００２】
操作説明書等のドキュメント原本をプログラマブル表示器上に表示させる方法が従来提案されており、特定のキー操作又はイベントが発生した場合に、ドキュメント原本の対応領域を表示画面に表示することができる（特許文献１参照）。
【先行技術文献】
【特許文献】
【０００３】
【特許文献１】特開２００７−２３２７７６号公報
【発明の概要】
【発明が解決しようとする課題】
【０００４】
しかし、上記のような従来技術では、ドキュメント原本がJPEG（Joint Photographic Experts Group）形式などの画像データとしてページ毎のファイルとして保存され、また、プログラマブル表示器のキー操作又はイベントに対応する表示対象領域が予め設定されている為、使用者がそれ以外の領域を参照しようとする場合、使用者が所望の内容が記載されている領域を記憶しているか、もしくは表示されているドキュメントを所望内容が記載されている領域に到達するまでページ送りをして読み進める必要があるといった問題点があった。
【０００５】
この発明は、かかる問題点を解決するためになされたもので、プログラマブル表示器上に表示されるドキュメントに記載されている複数のキーワードから、使用者が所望のキーワードを選択することにより、そのキーワードの記載箇所をドキュメント内から検索し、そのキーワードの記載されているドキュメントの領域を表示することができるプログラマブル表示器、ドキュメントの表示方法とその方法を実行するプログラムおよびそれを記録した記録媒体を得ることを目的としている。又、上記目的を達成する為にプログラマブル表示器が記憶するキーワード位置情報の作成方法と、その方法を実行するプログラムおよびそれを記録した記録媒体を得ることも目的とする。
【課題を解決するための手段】
【０００６】
この発明に係るプログラマブル表示器は、制御対象及びこの制御対象を制御する制御装置を有する制御システムに接続され、この制御システムの状態に関する状態情報を受け取るインタフェース部と、上記状態情報を表示可能な表示部と、上記制御システムに関連する情報が記載されたドキュメント原本を領域毎にイメージデータに変換したドキュメントデータ、及び、上記ドキュメント原本に記載された複数のキーワードとそれらが記載された領域及び座標とを対応付けるキーワード位置情報を記憶する記憶部と、外部からの指示が入力される入力部と、上記入力部から入力される外部からの指示に基づいて選択可能に、上記複数のキーワードを上記表示部に一覧表示させる制御部と、を備え、上記制御部は、キーワードが選択された場合、この選択されたキーワードが記載されている領域を上記キーワード位置情報に基づいて検索し、上記選択されたキーワードが記載されている領域のドキュメントデータを用いて当該領域のイメージを上記表示部に表示させることを特徴とするものである。
【発明の効果】
【０００７】
この発明によれば、従来の技術と比較して、所望の内容が記載された領域を表示するまでの効率が向上するという効果を有する。
【図面の簡単な説明】
【０００８】
【図１】この発明に係るプログラマブル表示器とそれに接続される制御システムとの関係を模式的に示す図である。
【図２】この発明に係るプログラマブル表示器の構成の一例を示す図である。
【図３】検索操作画面の一例を示す図である。
【図４】ドキュメントデータの一例を示す図である。
【図５】キーワード座標情報の一例を示す図である。
【図６】ドキュメント管理情報の一例を示す図である。
【図７】ドキュメント表示制御情報の一例を示す図である。
【図８】キーワード抽出情報の一例を示す図である。
【図９】ドキュメント情報作成装置の構成の一例を模式的に示すブロック図である。
【図１０】キーワード座標情報作成の処理手順の一例を示すフローチャートである。
【図１１−１】キーワード記載座標の取得の一例を示す図である。
【図１１−２】キーワード記載座標の取得の一例を示す図である。
【図１２】ドキュメント原本と、ドキュメントデータ及びキーワード座標情報との関係を模式的に示す図である。
【図１３】プログラマブル表示器によるキーワード抽出結果表示処理の手順の一例を示すフローチャートである。
【図１４】プログラマブル表示器による検索キーワード強調表示処理の手順の一例を示すフローチャートである。
【図１５】プログラマブル表示器による検索キーワードの強調表示項目の切り換え処理の手順の一例を示すフローチャートである。
【図１６−１】通常画面の表示状態の一例を示す図である。
【図１６−２】通常画面にドキュメントが表示された表示画面の一例を示す図である。
【図１６−３】検索操作画面が表示された表示画面の一例を示す図である。
【図１６−４】入力キーワードに対する候補キーワードが抽出されて、検索操作画面上の候補キーワードのリストが一覧表示された表示画面の一例を示す図である。
【図１６−５】表示中のドキュメントにおいて、選択した候補キーワードが検索されて強調表示された表示画面の一例を示す図である。
【図１６−６】異なるページに記載された検索キーワードが検索されて、キーワードが記載されているページのドキュメントが表示されるとともに、キーワードが強調表示された表示画面の一例を示す図である。
【発明を実施するための形態】
【０００９】
以下にこの発明にかかるプログラマブル表示器、ドキュメント表示方法とその方法を実行するプログラムおよびそれを記録した記録媒体、並びにキーワード位置情報作成方法とその方法を実行するプログラムおよびそれを記録した記録媒体の好適な実施の形態を詳細に説明する。なお、この実施の形態によりこの発明が限定されるものではない。
【００１０】
図１は、この実施の形態に係るプログラマブル表示器と、それに接続される外部の制御システムとの関係を模式的に示す図である。図において、１は制御対象、２はこの制御対象を制御する制御装置であり、３はこれら制御対象１と制御装置２を含む制御システムである。
【００１１】
１１はこの実施の形態に係るプログラマブル表示器であり、制御部４、記憶部５表示部１３、入力部１４、外部入出力インタフェース部１５を備える。尚、プログラマブル表示器１１の構成の詳細については更に図２を用いて後述する。
表示部１３は、制御システム１からの状態情報に基づいて制御システムの状態を示す画面や、制御システム１に出力する指示情報に対応する操作を使用者が入力するための画面を表示する液晶表示装置などの表示手段である。
入力部１４は、プログラマブル表示器１１の使用者が所望の指示を入力できるタッチパネルやキーボードなどの入力手段である。
外部入出力インタフェース部１５は、制御システム１に接続され、制御システム１の状態に関する状態情報を入力するとともに、プログラマブル表示器１１からの指示に関する指示情報を制御システム１に出力する入出力手段である。
【００１２】
記憶部５は、制御システム１に関連する情報が記載された仕様書や取扱説明書などのドキュメント原本を領域毎にイメージデータに変換したドキュメントデータと、ドキュメント原本に記載された複数のキーワードとそれらが記載された領域及び座標とを対応付けるキーワード位置情報と、を記憶する記憶手段である。
尚、ドキュメント原本を領域毎にイメージデータに変換するに当たり、後述する実施の形態においては、ページ単位での変換の例について説明しているが、それに限らず、例えば半ページ毎や、表示部１３に表示可能な範囲であれば、ドキュメント原本を任意の大きさ（長さ）に分割した領域毎に変換してもかまわない。
【００１３】
制御部４は、入力部１４から入力される使用者の選択指示に基づいて選択可能とするために、複数のキーワードを表示部１３に一覧表示させる機能と、キーワードが選択された場合に、この選択されたキーワードが記載されている領域を記憶部５に記憶されているキーワード位置情報に基づいて検索し、この選択されたキーワードが記載されている領域のドキュメントデータを用いて当該領域のイメージを表示部１３に表示させる機能を有する。
【００１４】
図２は、この発明にかかるプログラマブル表示器の構成の一例を示す図である。このプログラマブル表示器１１は、情報処理装置インタフェース部１２、表示部１３、入力部１４、外部入出力インタフェース部１５、画面設定情報記憶部１６、ドキュメント情報記憶部１７、キーワード抽出情報記憶部１８、入力表示制御部１９、描画コントローラ２０、画像メモリ２１、表示処理部２２を備える。
【００１５】
情報処理装置インタフェース部１２は、パーソナルコンピュータなどの情報処理装置と接続され、情報処理装置で作成したドキュメントデータやドキュメント管理情報、キーワード座標情報を含むドキュメント情報などの各種情報をプログラマブル表示器に転送するためのインタフェースである。
表示部１３は、液晶表示装置などの表示装置からなり、情報処理装置インタフェース部１２や外部入出力インタフェース部１５からの情報を表示する機能を有する。
入力部１４は、使用者とのインタフェースとなるタッチパネルやボタンなどの入力装置によって構成され、所定のコマンドが入力される。
外部入出力インタフェース部１５は、プログラマブルコントローラなどの外部装置と接続され、その外部装置との間で信号の入出力を行う機能を有する。
画面設定情報記憶部１６は、表示部１３に表示する画面のレイアウトや、キーワードの検索操作画面のレイアウト、および外部からの入力に対する制御や描画制御に関する画面設定情報を記憶する。
【００１６】
図３は、プログラマブル表示器に表示されるキーワードの検索操作画面の一例を示す図である。キーワードの検索操作画面３１は、当該プログラマブル表示器１１に表示されるドキュメントデータに対してキーワード検索を行うにあたり使用する操作画面である。この検索操作画面３１には、使用者が検索対象とする所望のキーワードを入力するための検索キーワード入力部３２、入力したキーワードから検索候補となるキーワードを先述したキーワード座標情報から抽出させるための抽出キー３３、抽出結果をリスト表示する抽出キーワード表示部３４、および抽出キーワード表示部に表示される抽出結果リストを上下にスクロールして表示させるための上スクロールキー３５、下スクロールキー３６、および抽出キーワード表示部３４に表示された抽出キーワードにおいて、使用者が選択したキーワードをプログラマブル表示器１１に表示されているドキュメントデータ内から検索し、検索キーワードが記載されているドキュメントデータのページを表示して該当するキーワードを強調表示させる検索開始キー３７、およびプログラマブル表示器１１に表示されている同一ドキュメントデータ内において、使用者が検索対象として選択した同一キーワードをドキュメントのページ進行方向に検索する次検索キー３８、および使用者が検索対象として選択した同一キーワードをドキュメントのページ進行逆方向に検索する前検索キー３９、および検索操作画面を閉じるためのクローズキー４０とを備える。
【００１７】
ドキュメント情報記憶部１７は、表示部１３に表示するドキュメントデータ、ドキュメントデータ内のキーワード名とそのキーワードの記載位置情報を管理するキーワード座標情報および、ドキュメントデータを管理するドキュメント管理情報および、ドキュメントデータの表示を行う際の表示制御を行うドキュメント表示制御情報を含むドキュメント情報を格納する。
【００１８】
図４は、ドキュメントデータの一例を示す図である。ドキュメントデータは、当該プログラマブル表示器１１でモニタする機器や制御システムなどの使用者取扱説明書などの文書を含む情報である。このドキュメントデータは、プログラマブル表示器１で表示可能な形式のデータであり、例えば、JPEG（Joint Photographic Experts Group）形式などの画像データが用いられる。図４の例では、「バッテリ交換手順書」、「駆動システム仕様書」などがドキュメントデータ２０１を構成しており、それぞれのドキュメントデータ２０１は、図示しないワードプロセッサソフトウェアなどの文書作成ソフトウェアで作成した「バッテリ交換手順書」、「駆動システム仕様書」などのドキュメント原本を、１ページ毎にJPEG形式などの画像ファイルに変換したものである。「バッテリ交換手順書」の場合は、１ページ目から順に、「ABC_１.JPG」、「ABC_２.JPG」、・・・、「ABC_M.JPG」（Mは自然数）とファイル名が付けられ、「駆動システム仕様書」の場合には、１ページ目から順に、「DEF_１.JPG」、「DEF_２.JPG」、・・・、「DEF_L.JPG」（Lは自然数）とファイル名が付けられている。それぞれのファイルの内容は、ドキュメント原本を構成する文書の１ページ分の内容となっている。ここでは、MやLの値がそれぞれのドキュメント原本のページ番号を表しているものとする。
【００１９】
キーワード座標情報は、ドキュメント原本に記載されている特定のキーワード名と、そのキーワードの記載箇所を座標値として格納しているものである。座標位置は原本左上を原点とした相対位置座標とする。このキーワード座標情報２０２は、ドキュメント原本から変換した各ドキュメントデータ１ページに１つ用意される。
【００２０】
図５は、キーワード座標情報の一例を示す図である。キーワード座標情報は、「キーワード名」、「記載座標１」、「記載座標２」の３つの列からなるテーブルである。この３つ列の各行の情報が１つのレコードをなす。「キーワード名」の列には、ドキュメント原本に記載されているキーワードが格納される。格納されるキーワードは、ドキュメント原本からドキュメントデータ２０１に変換する際に、後述するキーワード抽出単語辞書に基づいてドキュメント原本内に記載されているキーワードを検索し、抽出する。「記載座標１」の列には、同一レコードの「キーワード名」列に格納されているキーワードのドキュメント原本内における記載位置の座標が格納される。座標は「左上部の角座標」-「右下部の角座標」の組合せで、同一レコードの「キーワード名」に格納されているキーワードの記載位置を矩形として見なす。「記載座標２」には、同一レコードの「キーワード名」列に格納されているキーワードがドキュメント原本において２行にまたがって記載されている場合に、２行目に記載されているキーワードの記載位置の座標が格納される。２行にまたがらず、１行に記載される場合は、「記載座標２」列には「-」が格納される。例えば「アラーム」というキーワードが「アラ」と「―ム」というように２行にまたがって記載されている場合、「記載座標１」列には「アラ」の記載位置座標が格納され、「記載座標２」には「−ム」の記載位置座標が格納される。キーワード座標情報２０２は、ドキュメントデータ２０１の各ページ毎１つに対して１つ作成される。すなわち、ドキュメントデータ２０１のファイルと同数だけ、キーワード座標情報２０２のファイルが用意されることになる。ドキュメントデータ「ドキュメント原本のファイル名_ページ番号.JPG」に対応するキーワード座標情報名は「ドキュメント原本のファイル名_ページ番号.KEY」とする。そのため、図４で示したドキュメントデータ「バッテリ交換手順書」の１ページ目「ABC_1.JPG」に対応するキーワード情報は「ABC_1.KEY」となる。ドキュメントデータとキーワード座標情報は、同一ディレクトリ（場所）に保存するものとする。以上により、ドキュメントデータ２０１のファイル保存場所およびファイル名から、そのドキュメントデータ２０１に対応するキーワード座標情報２０２のファイル保存場所およびファイル名も把握することができる。
【００２１】
図６は、ドキュメント管理情報の一例を示す図である。ドキュメント管理情報２０３は、ドキュメントデータ２０１を管理するための情報であり、ドキュメントデータ（ファイル名）と、ドキュメントデータ（変換元のドキュメント原本）を識別するドキュメント識別情報であるドキュメントIDと、ドキュメントID中のページを特定するページ番号と、ドキュメントIDとページ番号で特定されるドキュメントデータのファイル保存場所とを含む。図６でファイル名「ABC_M.JPG」（M＝１，２，３、・・・）で示される一連のファイルは、図３のドキュメントデータ「バッテリ交換手順書」を構成するファイルであり、「バッテリ交換手順書」に対するドキュメントIDとして「１」が割り当てられている。また、「ABC_１．JPG」、「ABC_2.JPG」、「ABC_3.JPG」、・・・はそれぞれのドキュメントデータの１ページ、２ページ、３ページ、・・・を表しているので、ページ番号として「１」、「２」、「３」、・・・が付されている。同様に、「XYZ_1.JPG」というファイルに対しては、ドキュメントIDとして「n」が付され、ページ番号として「１」が付されている。また、ファイル名「ABC_1.JPG」、「ABC_2.JPG」、「ABC_3.JPG」、・・・の各ファイルは、「E:\Data\ABC\」というディレクトリ（場所）に保存されており、ファイル名「XYZ_1.JPG」の各ファイルは、「E:\Data\XYZ\」というディレクトリ（場所）に保存されている。
【００２２】
図７は、ドキュメント表示制御情報の一例を示す図である。ドキュメント表示制御情報２０４は、表示するドキュメントとそのドキュメントの表示位置を制御するための情報である。ドキュメント表示制御情報２０４は、ドキュメント表示を行う際のトリガとなるイベント（デバイス値）またはユーザによるキー操作からなる「ユーザ操作・システム状態」と、「ユーザ操作・システム状態」となった場合に表示するドキュメントデータについての「ドキュメントID」、「ページ番号」およびそのドキュメントの画像ファイル内の座標である「ドキュメント座標」と、そのドキュメントを表示する表示部１３上の座標である「画面座標」を含む。ドキュメント座標と画面座標は、切り抜いて表示する画像が矩形上である場合には、たとえば「左上部の角座標」-「右下部の角座標」の組合せで表現することができる。ここで、一つ一つの「ユーザ操作・システム状態」に対応した情報の組をレコードと呼ぶ。
【００２３】
キーワード抽出情報記憶部１８は、入力部１４からの操作入力が、図３における抽出キー３３押下のように、入力された検索キーワードに対する候補抽出に該当するものであれば、ドキュメント管理情報２０３およびキーワード座標情報２０２を参照して作成されるキーワード抽出情報２０５を一時的に保存する。図８は、キーワード抽出情報記憶部１８に一時的に記憶されるキーワード抽出情報２０５の一例を示す図である。図８におけるキーワード抽出情報２０５は、例えば、図４のドキュメントデータ「バッテリ交換手順書」において、検索キーワード「アラ」を入力して候補抽出した際に作成および記憶される情報である。検索キーワードは読み入力であり、前方一致検索により、候補となるキーワードをキーワード座標情報２０２から検索して抽出する。検索対象となるキーワード座標情報２０２は、抽出時にプログラマブル表示器１１に表示されているドキュメントデータと同一IDを持つものに限定される。ドキュメントIDは、ドキュメント管理情報２０３から参照される。キーワード抽出情報２０５は、「抽出キーワード」、「キーワード座標情報ファイル名」、「キーワード座標情報ファイル保存場所」の３つの列からなるテーブルである。この３つの列の各行の情報が１つのレコードをなす。「抽出キーワード」の列には、入力部１４より入力された検索キーワードに対し、読み入力の前方一致検索で各キーワード座標情報２０２内の「キーワード名」列を検索して、該当したレコードのキーワード名が抽出され格納される。「キーワード座標情報ファイル名」には、抽出されたキーワードが記載されているキーワード座標情報のファイル名が格納される。「キーワード座標情報ファイル保存場所」は、抽出されたキーワードが記載されているキーワード座標情報のファイル保存場所が格納される。キーワード抽出情報２０５の作成は、ドキュメント管理情報内の同一ドキュメントIDの最後に到達するまで続ける。図８の例では、「アラ」を入力キーワードとして各キーワード座標情報から候補キーワードが抽出され、「抽出キーワード」列に格納されている。図の例では、「アライメント」というキーワードが抽出され、「ABC_1.KEY」というファイルに記載されており、そのファイルは「E:\Data\ABC\」というディレクトリ（場所）に保存されている、という情報を含む。また、「アラーム」というキーワードが抽出され、「ABC_1.KEY」、「ABC_2.KEY」、「ABC_3.KEY」というファイルに記載されており、それらのファイルは「E:\Data\ABC\」というディレクトリ（場所）に保存されている、という情報を含む。なお、使用者が再度候補抽出処理を実施した際に、キーワード抽出情報記憶部１８に既にキーワード抽出情報２０５が保存されている場合、既に保存されている情報を削除して、新しく抽出情報を作成して保存するものとする。
【００２４】
尚、画面設定情報１６、ドキュメント情報記憶部１７、及びキーワード抽出情報記憶部１８は、図１に示す記憶部５に相当し、キーワード座標情報２０２、ドキュメント管理情報２０３、及びキーワード抽出情報２０５が、図１に示すキーワード位置情報に相当する。
【００２５】
入力表示制御部１９は、外部入出力インタフェース部１５からの信号入力や入力部１４からの操作入力と、画面設定情報および／またはドキュメント情報および／またはキーワード抽出情報２０５に基づいて描画の更新処理を描画コントローラ２０に指示する機能を有する。
描画コントローラ２０は、入力表示制御部１９からの描画指示に基づいて表示画面の描画を行い、描画した画像を画像メモリ２１に記憶する。例えば、制御システムの状態をモニタする通常の画面に、ドキュメントイメージを重ねて表示させたイメージを画像メモリ２１に出力する。
画像メモリ２１は、表示部１３に表示する画像のイメージを保持する。また、表示処理部２２は、画像メモリ２１に保持されたイメージを表示部１３に表示する処理を行う。
尚、入力表示制御部１９、描画コントローラ２０、画像メモリ２１及び表示処理部２２は、図１に示す制御部４に相当する。
【００２６】
以下に、上述した構成を有するプログラマブル表示器１１の動作処理について説明するが、最初に、上述したキーワード座標情報の作成（設定）について説明した後に、作成したキーワード座標情報を利用し、使用者からの検索操作に基づく、ドキュメントデータ内のキーワード検索方法および、検索結果を表示する表示処理について説明する。        
【００２７】
なお、前述したドキュメントデータおよびドキュメント管理情報およびドキュメント表示制御情報の作成方法、並びにドキュメントデータの所定の領域を、外部からのイベントもしくはキー操作に基づいてプログラマブル表示器上に表示する表示処理については、特許文献１において提案されている方法を用いるため、説明は省略する。
【００２８】
（１）キーワード座標情報の作成処理
ドキュメントデータ、キーワード座標情報、ドキュメント管理情報およびドキュメント表示制御情報は、ドキュメント情報作成装置（例えば、ドキュメント情報作成ソフトウェアを有する情報処理装置）によって作成される。図９は、ドキュメント情報作成装置の構成の一例を模式的に示すブロック図である。このドキュメント情報作成装置５１は、使用者とのインタフェースとなる入力部５２と、使用者によって文書作成ソフトウェアで作成されたドキュメント原本を読込むドキュメント原本読込部５３と、読込んだドキュメント原本をプログラマブル表示器１１で使用可能な形式のデータ（汎用的な画像データ）に変換するドキュメント変換部５４と、入力部５２からの使用者による入力に基づいてドキュメント管理情報を設定するドキュメント管理情報設定部５５と、入力部５２からの使用者による入力に基づいてドキュメント表示制御情報を設定するドキュメント表示情報設定部５６と、ドキュメント原本読込部５３において読込んだドキュメント原本におけるキーワード座標情報２０２を設定するキーワード座標情報設定部５７と、キーワード座標情報設定部５７がドキュメント原本からキーワード座標情報２０２を設定する際に抽出対象のキーワードを決定するために使用するキーワード抽出単語辞書５８と、ドキュメント変換部５４、ドキュメント管理情報設定部５５、ドキュメント表示制御情報設定部５６およびキーワード座標情報設定部５７によって作成されたドキュメントデータ２０１、キーワード座標情報２０２、ドキュメント管理情報２０３および、ドキュメント表示制御情報２０４を記憶する記憶部５９と、これらの各処理部を制御する制御部６０とを備える。
【００２９】
図１０は、キーワード座標情報の処理手順の一例を示すフローチャートである。まず、ドキュメント情報作成装置５１のドキュメント原本読込部５３は、市販の文章作成ソフトウェアなどによって作成された、プログラマブル表示器１１が設置されるシステムに関する電子データ形式のドキュメント原本を読込む（ステップS１）。この読込は、たとえば、図示しない通信部を介して他の情報処理装置で作成されたドキュメント原本を受信したものを読込んでもよいし、フレキシブルディスクやメモリカードやハードディスクなどの記憶装置（ストレージデバイス）に記憶されたドキュメント原本を読込んでもよい。
【００３０】
ついで、キーワード座標情報設定部５７は、上述したステップS１にて読込んだドキュメント原本において、記載されている定型文章を認識し、認識した定型文章に対し、キーワード抽出辞書５８に登録されているキーワードを単語単位で抽出する（ステップS２）。
【００３１】
ついで、キーワード座標情報設定部５７は、上述したステップS２にて抽出されたキーワードに対し、該当キーワードの記載位置をドキュメント原本左上を原点とする絶対座標で取得する（ステップS３）。図１１−１は、キーワード記載座標の取得の一例を示した図である。図１１−１の例では、ドキュメント原本ファイルにおいて、キーワード「アラーム」を抽出し、その記載位置座標を取得している。キーワード記載位置は矩形としてみなし、「左上部の角座標」と「右下部の角座標」を取得する。
【００３２】
抽出されたキーワードが、ドキュメント原本内の定型文書に２行にまたがって記載されている場合は、１行目に記載されているキーワードの記載位置座標と、２行目に記載されているキーワードの記載位置座標を共に取得する。図１１−２は、２行にまたがってキーワードが記載されている場合におけるキーワード記載座標の取得の一例を示した図である。図１１−２の例では、ドキュメント原本ファイルにおいて、２行にまたがって記載されているキーワード「アラーム」を抽出し、１行目に記載されているキーワード記載位置の「左上部の角座標１」と「右下部の角座標１」を取得し、２行目に記載されているキーワード記載位置の「左上部の角座標２」と「右下部の角座標２」を取得している。
【００３３】
キーワード座標情報設定部５７は、上述したステップS２において抽出されたキーワードと、上述したステップS３において取得されたキーワード記載座標を同一レコードとしてキーワード座標情報２０２を設定する（ステップS４）。キーワード座標情報設定部５７は、ステップS１において読込まれたドキュメント原本内に記載されている定型文章の最後に到達するまで、ステップS２からステップS４までを繰り返し、キーワード座標情報を設定する。この結果は、たとえば図５に示されるような形のキーワード座標情報として記憶部５９に記憶される。以上で、キーワード座標情報２０２の作成処理が終了する。
【００３４】
ドキュメント変換部５４は、ドキュメント原本読込部５３により読込まれたドキュメント原本を、１ページ毎にプログラマブル表示器１にて表示可能な画像ファイルなどの汎用化ドキュメントに変換する。すなわちドキュメント原本がMページ（Mは自然数）からなる場合は、ドキュメントデータはMファイル（Mは自然数）できることになる。キーワード座標情報は、ドキュメント変換部５４により変換されたドキュメントデータ１ファイルに対し、１ファイルが作成される。図１２は、ドキュメント原本とドキュメントデータ、ならびにドキュメントデータに対応したキーワード座標情報の対応関係を示した図である。図１２の例では、Mページ（Mは自然数）からなるドキュメント原本「ABC.DOC」が、ドキュメント変換部５４によってM個のドキュメントデータ「ABC_1.JPG」、「ABC_2.JPG」、・・・、「ABC_M.JPG」に変換され、キーワード座標情報設定部５７によって、M個のキーワード座標情報「ABC_1.KEY」、「ABC_2.KEY」、・・・、「ABC_M.KEY」が設定されている。
【００３５】
このようにして作成されたキーワード座標情報２０２、およびドキュメント変換部５４によって作成されたドキュメントデータ２０１並びに、ドキュメント管理情報設定部５５によって作成されたドキュメント管理情報２０３を含むドキュメント情報は、たとえばドキュメント情報作成装置５１の図示しない情報処理インタフェースによりプログラマブル表示器１１と接続して、またはこのドキュメント情報を記憶した記録媒体に読込むことによって、プログラマブル表示器１１のドキュメント情報記憶部１７に記憶させる。
【００３６】
以下に、上述したプログラマブル表示器１１の構成において、使用者からの検索操作に基づき、図３に示すような、使用者から検索操作が入力される検索操作画面をプログラマブル表示器１に表示させる方法および、使用者が入力した検索対象のキーワードに対して、先述した方法により作成されたキーワード座標情報から該当するキーワードを抽出し、抽出した結果をリストとして、プログラマブル表示器１１に表示させる方法を説明する。
【００３７】
（２）プログラマブル表示器でのキーワード抽出結果表示処理
図１３は、プログラマブル表示器によるキーワード抽出結果表示処理の手順の一例を示すフローチャートである。最初に、プログラマブル表示器１は、外部入出力インタフェース部１５を介してプログラマブルコントローラに接続され、制御対象の運転状態などの通常画面およびドキュメントデータを表示部１３に表示している状態にあるものとする（ステップS１１）。
【００３８】
ステップS１１の状態において、通常画面にはドキュメントデータにおけるキーワード検索操作画面３１を表示させるためのキーが配置されているものとする。入力表示制御部１９は、入力部１４からの使用者による上記キー操作が行われたかを確認する（ステップS１２）。キー操作が行われない場合（ステップS１２でNoの場合）には、ステップS１１へと戻り、通常画面およびドキュメントデータを表示した状態が維持される。
【００３９】
一方、検索操作画面３１表示のキー操作が行われた場合（ステップS１２でYesの場合）には、入力表示制御部１９は画面設定情報記憶部１６に保存された検索操作画面３１の画面イメージ格納場所を描画コントローラ２０に渡して描画指示を行う。描画コントローラ２０は、検索操作画面３１の表示画面データを生成し、画像メモリ２１に格納する。表示処理部２２は、画像メモリ２１に格納された表示画面を表示部１３に表示する（ステップS１３）。検索操作画面３１からの使用者の入力は、入力部１４からのキー操作に相当する。なお、通常画面にドキュメントデータが表示されていない状態で検索操作画面３１表示のキー操作が行われても、検索操作画面は表示されない。
【００４０】
検索操作画面３１がプログラマブル表示器１１に表示された状態において、入力表示制御部１９は、検索操作画面３１内の検索キーワード入力部３２において、使用者からのキーワード入力を待ち受ける。使用者によって検索キーワードが入力されると、入力したキーワードは検索キーワード入力部に表示される（ステップS１４）。
【００４１】
ステップS１４で検索キーワード入力部３２に使用者が検索キーワードを入力した状態において、入力表示制御部１９は、検索操作画面３１のキーワード抽出のキー操作が行われたかを確認する（ステップS１５）。キー操作が行われない場合（ステップS１５でNoの場合）には、ステップS１４に戻り、検索キーワードの入力を待ちうける状態が維持される。
【００４２】
一方、キーワード抽出のキー操作が行われた場合（ステップS１５でYesの場合）には、現在表示中のドキュメントデータと同一ドキュメントIDを持つドキュメントデータに対応するキーワード座標情報２０２から、該当キーワードを検索する。該当キーワードが見つかった場合、抽出されたキーワードと、抽出キーワードが記載されたキーワード座標情報２０２のファイル名、および抽出キーワードが記載されたキーワード座標情報２０２のファイルが保存されているディレクトリ（場所）の３つのデータを、キーワード抽出情報２０５としてキーワード抽出情報記憶部１８に作成する（ステップS１６）。
【００４３】
入力表示制御部１９は、ステップS１６にて作成されたキーワード抽出情報２０５に基づいて抽出結果を抽出キーワード表示部３４に表示する（ステップS１７）。表示対象となるのは、キーワード抽出情報の「抽出キーワード」の列に格納されたキーワード名のみとし、キーワード座標情報ファイル名やキーワード座標情報ファイル保存場所は表示しない。入力表示制御部１６は、キーワード抽出情報記憶部１８に保存されているキーワード抽出情報の抽出キーワードの文字列情報を描画コントローラ２０に渡し描画指示する。描画コントローラ２０は、受け取った文字列情報を検索操作画面の抽出キーワード表示部に表示するための表示画面を生成し、画像メモリ２１に格納する。表示処理部２２は、画像メモリ１１に格納された表示画面を表示部１３に表示する。なお、抽出キーワードが複数あり、検索操作画面３１の抽出キーワード表示部３４に一度に描画できない場合、検索操作画面３１の上スクロールキー３５、もしくは下スクロールキー３６を使用者がタッチすることで、入力表示制御部１９はキーワード抽出情報記憶部１８から抽出キーワードの文字列情報を再度取得し、前述の表示処理を行うことにより、表示部１３にリストを上（もしくは下）にずらした抽出キーワードのリストを表示する。
【００４４】
以下に、上述した構成のプログラマブル表示器１１において、抽出および表示されたキーワードにおいて、使用者が検索対象とするキーワードを選択すると、現在表示中のドキュメントデータにおいて該当キーワードの記載箇所を検索し、強調表示させる方法を示す。
【００４５】
（３）プログラマブル表示器での検索キーワードの強調表示処理
図１４はプログラマブル表示器による検索キーワードの強調表示処理の手順の一例を示すフローチャートである。最初に、プログラマブル表示器１１は、外部入出力インタフェース部１５を介してプログラマブルコントローラに接続され、制御対象の運転状態などの通常画面、ドキュメントデータおよび、検索操作画面３１を表示部１３に表示しており、検索操作画面３１の抽出キーワード表示部３４に抽出キーワードのリストが表示されている状態にあるものとする（ステップS２１）。
【００４６】
ステップS２１の状態において、検索操作画面３１の抽出キーワード表示部３４に表示された抽出キーワードリストから、使用者により検索対象とするキーワードが選択される。選択操作は、抽出キーワード表示部３４に表示されているキーワードリスト上の対象キーワードをタッチすることにより、タッチされたキーワードが検索対象として選択される。入力表示制御部１９は、入力部１４からの使用者による抽出キーワード選択のキー操作が行われたかを確認する（ステップS２２）。キー操作が行われない場合（ステップS２２でNoの場合）には、ステップS２１へと戻り、通常画面およびドキュメントデータ２０１および検索操作画面３１を表示した状態が維持される。
【００４７】
一方、抽出キーワード選択のキー操作が行われ、検索対象とするキーワードが選択された場合（ステップS２２でYesの場合）には、入力表示制御部１９は、入力部１４からの使用者による検索対象キーワードの強調表示開始のキー操作が行われたかを確認する（ステップS２３）。キー操作が行われない場合（ステップS２３でNoの場合）には、ステップS２１の状態へと戻り、通常画面およびドキュメントデータ２０１および検索操作画面３１を表示した状態が維持される。
【００４８】
一方、検索対象キーワードの強調表示開始のキー操作が行われた場合（ステップS２３でYesの場合）には、入力表示制御部１９は、キーワード抽出情報記憶部１８に保存されたキーワード抽出情報２０５から、検索対象キーワードが記載されたキーワード座標情報２０２のファイル名とキーワード座標情報２０２の保存ディレクトリ（場所）を取得する（ステップS２４）。
【００４９】
ついで入力表示制御部１９は、ステップS２４にて取得したキーワード座標情報ファイルから、検索対象キーワードの記載座標を取得する（ステップS２５）。
【００５０】
ステップS２５において、現在参照しているキーワード抽出情報２０５のレコードおよび、キーワード座標情報２０２の現在参照しているレコードを共に記憶する（ステップS２６）。
【００５１】
ついで入力表示制御部１９は、ドキュメント管理情報２０３から、検索対象キーワードが記載されているドキュメントデータ２０１のファイル保存場所を取得する。ドキュメントデータ２０１とキーワード座標情報２０２は一意に対応するため、ステップS２４から得られたキーワード座標情報２０２のファイル名より、該当するドキュメントデータ２０１のファイル名とドキュメントIDを得ることができる。その後、入力表示制御部１９は、取得した保存場所のファイル名のドキュメントデータにアクセスし、対応するドキュメントイメージを取得する（ステップS２７）。
【００５２】
入力表示制御部１９は、ステップS２７で取得したドキュメントイメージデータと、ステップS２５で取得したキーワード記載座標から形成される矩形イメージを描画コントローラ２０に渡して描画指示を行う。描画コントローラ２０は、渡されたドキュメントイメージと矩形イメージを合成した表示画面を生成し（ステップS２８）、画像メモリ２１に格納する。表示処理部２２は、画像メモリ２１に格納された表示画面を表示部３に表示する（ステップS２９）。
【００５３】
尚、上記において、検索操作画面３１を初めて表示させて検索開始した場合は、検索時にプログラマブル表示器に表示されているドキュメントデータのページ数が進む方向に検索する。
【００５４】
（４）プログラマブル表示器での前後検索キー操作によるドキュメント表示ページおよび検索対象キーワードの強調表示切り換え処理
図１５は、プログラマブル表示器１１による検索対象キーワードの、前後検索キー操作によりドキュメントデータの表示ページおよび検索対象キーワードの強調表示項目を切り換える処理の手順の一例を示すフローチャートである。最初に、プログラマブル表示器１１は、外部入出力インタフェース部１５を介してプログラマブルコントローラに接続され、制御対象の運転状態などの通常画面、及びドキュメントデータを表示部１３に表示しており、検索対象キーワードの強調表示がされている状態にあるものとする（ステップS３１）。
【００５５】
ステップS３１の状態において、入力表示制御部１９は、入力部１４からの使用者による検索対象キーワードの強調表示切り換えのキー操作が行われたかを確認する（ステップS３２）。キー操作が行われない場合（ステップS３２でNoの場合）には、ステップS３１へと戻り、通常画面およびドキュメントデータが表示され、既に検索対象キーワードとして選択したキーワードが強調表示されている状態を維持する。
【００５６】
一方、強調表示対象を切り換えるキー操作として、次（前）候補選択のキー操作が行われた場合（ステップS３２でYesの場合）には、入力表示制御部１９は、ステップS２６で記憶したレコードの次（前）のレコードを参照し、キーワード抽出情報２０５より、検索対象キーワードが記載されたキーワード座標情報２０２のファイル名とキーワード座標情報の保存ディレクトリ（場所）を取得する（ステップS３３）。
【００５７】
ステップS３３におけるレコードの参照方法としては、まずキーワード抽出情報２０５の「抽出キーワード」列を参照し、検索対象キーワードと該当するレコードのキーワード座標情報２０２ファイルを参照し、検索対象キーワードと該当するレコードを参照する。すなわち、レコード検索の進め方は、キーワード座標情報２０２のレコードを１つ進め、キーワード座標情報２０２内で進めるレコードがなくなった場合は、キーワード抽出情報２０５のレコードを１つ進めて、同様にキーワード座標情報２０２内のレコードを進めていく。ここで、現在参照しているレコードがキーワード抽出情報２０５の最後に位置しており、使用者により次候補選択のキー操作が行われた場合、参照先のレコードはキーワード抽出情報２０５の先頭に移動する。一方、現在参照しているレコードがキーワード抽出情報２０５の最初に位置しており、使用者により前候補選択のキー操作が行われた場合、参照先のレコードはキーワード抽出情報２０５の最後に移動する。尚、キーワード座標情報２０２についても同様にレコードを移動させる。
【００５８】
ついで入力表示制御部１９は、ステップS３３にて取得したキーワード座標情報２０２のファイルから、検索対象キーワードの記載座標を取得する（ステップS３４）。
【００５９】
ついで入力表示制御部１９は、ドキュメント管理情報２０３から、検索対象キーワードが記載されているドキュメントデータ２０１のファイル保存場所を取得する。ドキュメントデータ２０１とキーワード座標情報２０２は一意に対応するため、ステップS３３から得られたキーワード座標情報２０２のファイル名より、該当するドキュメントデータ２０１のファイル名とドキュメントIDを得ることができる。その後、入力表示制御部１９は、ドキュメント情報記憶部１７内の取得した保存場所のファイル名のドキュメントデータ２０１にアクセスし、対応するドキュメントイメージを取得する（ステップS３５）。
【００６０】
入力表示制御部１９は、ステップS３５で取得したドキュメントイメージデータと、ステップS３４で取得した座標から形成される矩形イメージを描画コントローラ１０に渡して描画指示を行う。描画コントローラ１０は、渡されたドキュメントイメージと矩形イメージを合成した表示画面を生成し（ステップS３６）、画像メモリ１１に格納する。表示処理部１２は、画像メモリ１１に格納された表示画面を表示部３に表示する（ステップS３７）。
【００６１】
図１６−１〜図１６−６は、プログラマブル表示器上に表示されるドキュメントデータにおいて、入力キーワードに対する検索および表示処理の一例を示す図である。図１６−１は、通常画面の表示状態の一例を示す図であり、図１６−２は、通常画面にドキュメントイメージを重ね合わせた表示画面の一例を示す図であり、図１６−３は、図１６−２の状態にキーワードの検索操作画面を重ね合わせた表示画面の一例を示す図であり、さらに図１６−４は、図１６−３の状態に、入力された検索キーワードに対して検索操作画面上に検索候補として抽出されたキーワードリストのイメージを重ね合わせた表示画面の一例を示す図であり、さらに図１６−５は、抽出されたキーワードリストからキーワードを選択し、表示されているドキュメントデータ内における該当キーワードを検索して強調表示したイメージを重ね合わせたリストであり、さらに図１６−６は、図１６−５の状態から同一キーワードをページ進行方向に検索し、該当するページのドキュメントイメージと該当キーワードを強調表示したイメージを重ね合わせた表示画面の一例を示す図である。
【００６２】
図１６−１のように、プログラマブル表示器に通常画面３００が表示されているときに、たとえば、外部入出力インタフェース部１５からの信号によって、ドキュメント表示制御情報に登録されているイベントが発生したとする。このとき、入力表示制御部１９は、発生したイベントに対応するドキュメントデータを取得し、ドキュメントの座標や画面上の座標を抽出して表示部２３に表示する（詳細は特許文献１参照）。この結果が図１５−２に示されている。
【００６３】
プログラマブル表示器にドキュメントデータが表示されている状態（図１６−２に示す状態）において、通常画面３００に配置されたキーワードの検索操作画面をプログラマブル表示器上に表示させる「検索」キー３０１を押すと、入力表示制御部１９はキーワードの検索操作画面３１のイメージを取得し、表示部２３に表示する。この結果が図１６−３に示されている。
【００６４】
検索操作画面３１がプログラマブル表示器に表示されている状態（図１６−３に示す状態）において、使用者が検索対象としたいキーワードの読み入力を検索操作画面３１の検索キーワード入力部３２に入力し、抽出キー３３をタッチすることで、キーワード座標情報内から検索候補となるキーワードが抽出され、抽出結果が抽出キーワード表示部３４にリスト表示される。この結果が図１６−４に示されている。
【００６５】
検索操作画面３１の抽出キーワード表示部３４にリストが表示されている状態（図１６−５に示す状態）において、抽出された候補リストから、使用者が検索対象としたい候補のキーワードを選択してリスト上の該当キーワードをタッチし、ドキュメントデータ内の検索対象キーワードを強調表示させる検索開始キー３７をタッチすることで、プログラマブル表示器に表示されているドキュメントデータにおいて、対象キーワードの記載ページが表示され、さらに対象キーワードが強調表示される。この結果が図１６−５に示されている。図１６−５は、検索対象キーワードとして「アラーム」を選択して検索した例である。この例では、ドキュメントデータ１ページ目の「アラーム」というキーワードの記載箇所が矩形で強調表示されている。
【００６６】
プログラマブル表示器に表示されているドキュメントデータにおいて、検索対象のキーワードを検索して強調表示した状態（図１６−５に示す状態）において、検索して表示されたページに使用者が所望する内容が記載されていなかった場合、さらに検索を続けて所望の内容が記載されているページを探すには、検索操作画面３１の前検索キー３８、もしくは次検索キー３９をタッチする。前検索キー３８をタッチすると、現在表示されているドキュメントデータからページが戻る方向に検索をし、次検索キー３９をタッチすると、現在表示されているドキュメントデータからページが進む方向に検索をする。この結果が図１６−６に示されている。図１６−６では、検索対象キーワード「アラーム」をページ進行方向に検索し、ドキュメントデータ４ページ目に「アラーム」が見つかったため、プログラマブル表示器にはドキュメントデータの４ページ目が表示され、さらにキーワードの記載箇所が矩形で強調表示されている。
【００６７】
上記実施の形態においては、使用者は抽出キーワード表示部３４に抽出された候補リストから所望のキーワードを選択することにより、選択されたキーワードの記載箇所をドキュメントデータ内から検索して、その記載されているドキュメントのページを表示可能となる。
又、キーワードの記載箇所を、プログラマブル表示器上に表示されているドキュメント内において強調表示できる。これにより、検索して表示されたドキュメントのページ内において、検索キーワードの記載位置を把握するのが容易となる。
【００６８】
更に、プログラマブル表示器上に、次検索、前検索、を示す２つの入力キーを備えるため、この検索キーを使用者がタッチすることにより、プログラマブル表示器上に表示されているドキュメント内において、該当するキーワードの記載箇所をページ進行方向、もしくはページ進行逆方向に検索を進めることができる。そして、検索した結果、該当するキーワードが現在表示されているドキュメントと異なるページに記載されている場合は、該当するキーワードが記載されているドキュメントのページを表示し、該当キーワードを強調表示することができる。
【００６９】
なお上述した例では、ドキュメント情報はプログラマブル表示器１１のドキュメント情報記憶部１７に格納される場合を示したが、これに限定されるものではない。たとえば、ドキュメント情報をプログラマブル表示器１１が接続されるネットワーク上のストレージデバイスに格納してもよい。また、プログラマブル表示器１１が接続されているネットワークを、インターネットに接続し、ドキュメント情報をインターネット上のサーバに格納するようにしてもよい。
【００７０】
なお、上述したドキュメント情報の作成方法とキーワード検索機能を備えたドキュメント表示方法は、あらかじめ用意されたプログラムをパーソナルコンピュータやワークステーションなどのコンピュータで実行することにより実現することができる。これらのプログラムは、ハードディスク、フレキシブルディスク、CD（Compact Disk）- ROM（Read Only Memory）、MO（Magneto-Optical disk）、DVD（Digital Versatile DiskまたはDigital Video Disk）などのコンピュータで読み取り可能な記録媒体に記録され、コンピュータによって記録媒体から読み出されることによって実行される。また、これらのプログラムは、インターネットなどのネットワーク（通信回線）を介して配布することもできる。
【産業上の利用可能性】
【００７１】
以上のように、本発明にかかるプログラマブル表示器は、仕様書や取扱説明書に基づいて設計された、制御対象を制御する制御装置を有する制御システムでの、仕様や説明を表示させる場合において、所望の内容の記載箇所を効率よく表示させる場合に有用である。
【符号の説明】
【００７２】
１  制御システム
２  制御対象
３  制御装置
４  制御部
５  記憶部
１１  プログラマブル表示器
１２  情報処理装置インタフェース部
１３  表示部
１４  入力部
１５  外部入出力インタフェース部
１６  画面設定情報記憶部
１７  ドキュメント情報記憶部
１８  キーワード抽出情報記憶部
１９  入力表示制御部
２０  描画コントローラ
２１  画像メモリ
２２  表示処理部
３１  検索画面
３２  検索キーワード入力部
３３  抽出キー
３４  抽出キーワード表示部
３５  上スクロールキー
３６  下スクロールキー
３７  検索開始キー
３８  次検索キー
３９  前検索キー
４０  クローズキー
５１  ドキュメント情報作成装置
５２  入力部
５３  ドキュメント原本読込部
５４  ドキュメント変換部
５５  ドキュメント管理情報設定部
５６  ドキュメント表示制御情報設定部
５７  キーワード座標情報設定部
５８  キーワード抽出単語辞書
５９  記憶部
６０  制御部
２００  ドキュメント原本
２０１  ドキュメントデータ
２０２  キーワード座標情報
２０３  ドキュメント管理情報
２０４  ドキュメント表示制御情報
２０５  キーワード抽出情報
３００  通常画面
３０１  検索操作画面表示キー
【図１】
2010286882.tif 000003
【図２】
2010286882.tif 000004
【図３】
2010286882.tif 000005
【図４】
2010286882.tif 000006
【図５】
2010286882.tif 000007
【図６】
2010286882.tif 000008
【図７】
2010286882.tif 000009
【図８】
2010286882.tif 000010
【図９】
2010286882.tif 000011
【図１０】
2010286882.tif 000012
【図１１−１】
2010286882.tif 000013
【図１１−２】
2010286882.tif 000014
【図１２】
2010286882.tif 000015
【図１３】
2010286882.tif 000016
【図１４】
2010286882.tif 000017
【図１５】
2010286882.tif 000018
【図１６−１】
2010286882.tif 000019
【図１６−２】
2010286882.tif 000020
【図１６−３】
2010286882.tif 000021
【図１６−４】
2010286882.tif 000022
【図１６−５】
2010286882.tif 000023
【図１６−６】
2010286882.tif 000024